(57)【要約】【課題】  片手で冊子類を保持した際の安定性を向上させ、更には片手で保持したままページをめくる操作を容易にする冊子類またはその保持具を提供すること。【解決手段】  冊子類の背表紙部に装着して、冊子類の保持に供する保持具において、冊子類に取り付けるための固設部と、冊子類を保持する使用者の指と係合する係止部とを設ける。係止部は、冊子類を保持する使用者の指が挿入される略穴状、冊子類を保持する使用者の指に上方から掛かる部位を有する凹凸、或いは、冊子類の背表紙部の下方に延伸された略棒状とし、使用者の指による把持に供すると共に、背表紙部の近傍で折り曲げられ収納に供する折曲部を有するように構成してもよい。このような保持具を、冊子類本体に予め装備して構成してもよく、背表紙部に、冊子類を保持する使用者の指と係合する係止部とを設けて、安定保持に供する冊子類としてもよい。【選択図】  図５
2006305806.tif 000002
【特許請求の範囲】
【請求項１】
冊子類の背表紙部に装着して、冊子類の保持に供する保持具であって、
冊子類に取り付けるための固設部と、
冊子類を保持する使用者の指と係合する係止部とを備える
ことを特徴とする冊子類の保持具。
【請求項２】
係止部が、冊子類を保持する使用者の指が挿入される略穴状である
請求項１に記載の冊子類の保持具。
【請求項３】
係止部が、冊子類を保持する使用者の指に上方から掛かる部位を有する凹凸である
請求項１に記載の冊子類の保持具。
【請求項４】
係止部が、冊子類の背表紙部の下方に延伸された略棒状であり、使用者の指による把持に供すると共に、背表紙部の近傍で折り曲げられ収納に供する折曲部を有する
請求項１に記載の冊子類の保持具。
【請求項５】
請求項１ないし４に記載の保持具が装備された
ことを特徴とする冊子類。
【請求項６】
安定保持に供する冊子類であって、
背表紙部に、冊子類を保持する使用者の指と係合する係止部とを備える
ことを特徴とする冊子類。
【発明の詳細な説明】
【技術分野】
【０００１】
本発明は、片手で安定保持し容易にページめくりできる冊子類、また、その冊子類に装着する保持具に関する。
【背景技術】
【０００２】
書籍や手帳などの冊子類を、混雑した乗り物内などで使用する際、または、使用者がもう一方の手で荷物や電話の受話器または筆記具などを保持しながら使用する際、使用者が片手でその冊子類を保持したまま、そのページをめくる操作をする必要が生じる場合がある。しかし、従来の冊子類は、片手で保持したまま使用するための構成は一切考慮されていないので、保持が不安定であり、もう一方の手を添える必要が生じ不自由であった。
【０００３】
書籍のページを押さえる方法や、書籍を吊り下げる方法や持ち歩きやすい取手などの従来技術には、下記の文献がある。
【特許文献１】「書籍ページ保持具」実登3064020
【特許文献２】「ページ押さえクリップ」特開2003-251962
【特許文献３】「取っ手付きファイル、バインダー、書籍」特開2004-58636
【特許文献４】「書籍のページ保持具」特開平11-105458
【特許文献５】「書籍の開ページ保持方法および開ページ保持具」特開平11-139039
【特許文献６】「開頁保持具」特開平７-242078
【特許文献７】「ページ押え具」実開平5-16360
【特許文献８】「書籍ページ保持具」実登3064020
【特許文献９】「フック付ブックカバー」特開2003-063169
【特許文献１０】「把手付きのブックカバーまたはバインダー」特開2003-054158
【特許文献１１】「書籍等の吊り下げ器具」特開平11-078290
【０００４】
しかし、これら従来技術では、対象物を使用時に片手で保持する安定性を向上させる作用は乏しい。
冊子類以外の物品を対象とした場合、その保持安定に関連する従来技術には、次の文献がある。
【特許文献１２】「サクソフォン」実開昭62-132591
【特許文献１３】「携帯電子機器」特開2003-345492
【０００５】
しかし、特許文献１２に開示される内容は、管楽器という限定された対象物に、指を掛けて吊り下げる作用に関するので、冊子類のように使用時に支え持つ作用効果とは異なる。
また、特許文献１３に開示される内容は、電子機器の片手操作性について、あくまで平板状の機器の背面の構成に関するので、冊子類のように背表紙部を有しページを開いて使用する物品とは構造も作用効果も異なる。
【発明の開示】
【発明が解決しようとする課題】
【０００６】
そこで、本発明は、冊子類本体に新たな構成を付加するか、または冊子類に新たな器具を装着することにより、片手で冊子類を保持した際の安定性を向上させ、更には片手で保持したままページをめくる操作を容易にする冊子類またはその保持具を提供することを課題とする。
【課題を解決するための手段】
【０００７】
上記課題を解決するために、本発明の冊子類の保持具は、冊子類の背表紙部に装着して、冊子類の保持に供する保持具であって、冊子類に取り付けるための固設部と、冊子類を保持する使用者の指と係合する係止部とを備えることを特徴とする。
【０００８】
ここで、係止部を、冊子類を保持する使用者の指が挿入される略穴状としてもよい。
【０００９】
係止部を、冊子類を保持する使用者の指に上方から掛かる部位を有する凹凸で構成してもよい。
【００１０】
係止部を、冊子類の背表紙部の下方に延伸された略棒状とし、使用者の指による把持に供すると共に、背表紙部の近傍で折り曲げられ収納に供する折曲部を有するように構成してもよい。
【００１１】
このような保持具を、冊子類本体に予め装備して構成してもよい。
【００１２】
また、安定保持に供する冊子類として、背表紙部に、冊子類を保持する使用者の指と係合する係止部とを設けてもよい。
【発明の効果】
【００１３】
本発明によると、簡易な構成でありながら、片手で冊子類を安定保持でき、更に片手で保持したままページを容易にめくれるので、冊子類の機能性の向上や使用者の利便性を高めることができる。
【発明を実施するための最良の形態】
【００１４】
以下、本発明の実施形態について、図面を基に説明する。
本発明による冊子類は、その背表紙部に、使用者が指を掛けるための輪や孔などの穴状部、突起や溝などの凹凸、または使用者の指との摩擦が増加する勾配を伴った構成を設けることを特徴とする。冊子類本体にそのような構成を予め設けてもよく、冊子類に装着する保持具として提供してもよい。
【００１５】
また、その保持具を装着した冊子類の背表紙部の下端部から、使用者の手首の方向に向かって突出部を形成し、使用者がその突出部を任意の指で保持できるようにしてもよい。
その突出部は、折り曲げたりスライドさせることによって、冊子類の側に収納させ、携帯性を高める構造にしてもよい。
【実施例】
【００１６】
図１は、本発明による冊子類の斜視図である。
手に持ちページをめくって使用する冊子類（A）の背表紙部（B）の下端部（B2）またはその近傍に、使用者が指を掛けるための指掛け部（C）を設ける。
指掛け部（C）に中指（３）または薬指（４）を掛けることにより、冊子類の保持が安定するので（図２）、ページ側に人差し指（２）と親指（５）を廻すことが可能になり（図３）、容易に片手で冊子類を保持しながらページをめくる操作を行える。
【００１７】
指掛け部（C）は輪状の他に、かぎ状の突起（図6、C3）、または溝（図8、C5）、または使用者の指と冊子類との摩擦が増加する勾配（図7、C4）を伴う構成でもよい。
【００１８】
指掛け部（C）は、冊子類の背表紙部（B）の一部に接着や縫付けなどの方法により固着する方法（図１）（図７）の他に、冊子類のカバーに付属させて当該冊子類と一体化する方法や、冊子類の背表紙部を部分的に切り欠く方法もある（図８）。
【００１９】
指掛け部（C）を冊子類に着脱可能な器具として提供することも有効である。
指掛け部（C）を冊子類に装着する方法としては、素材に弾力性のある樹脂や金属を用い、その弾力を利用して冊子類の背表紙部を挟み込む方法（図４）、金属製や樹脂製等のバネを利用しクリップ状の構成で挟み込む方法、指掛け部（C）の取り付け部を背表紙部（B）に沿って長く構成し、背表紙部（B）の上端部（B1）と下端部（B2）で折り曲げて固定する方法（図２）（図３）（図４）、背表紙部（B）の下端部（B2）のみで取り付け部を折り曲げ、当該冊子類を挟み込む方法、または、背表紙部（B）の上端部（B1）、下端部（B2）に相当するフック部（G1）（G2）を予め構成し、保持具の固定部（C2）の長さを調節する部分（G3）を設け、スライド式に長さを調節することにより着脱を可能にする方法（図９）などがある。その場合、長さを調節する部分（G3）は、任意の位置で長さを固定できるように係止部（F）を設け、文庫本、新書など背表紙部（B）の長さの異なる冊子類に対応可能にもできる。
【００２０】
保持部具の下端部を使用者の手首方向に突出させ、使用者が使用時に任意の指を使いその突出部（C1）を握ることが可能な構成にすることも有効である（図４）。
突出部（C1）は、保持具の固定部（C2）との間をヒンジ状の構成（E）にして、不使用時に突出部（C1）をページ側に折り曲げることを可能にしたり、突出部（C1）を固定部（C2）の側にスライド式に収納可能な構成にすることで携帯性を高めることもできる（図５）（図９）。
【００２１】
突出部（C1）の任意の部位に、細長い形状の部材（D）を付属させることにより、しおりの機能やページを押さえる機能を付加することも可能である（図５）（図９）。なお、突出部（C1）は、使用者が把持または指を通して支持できればよいので、単数または複数の線または面で適宜形状を変えられる。
【産業上の利用可能性】
【００２２】
本発明によると、例えば手帳や単語帳などの冊子類の片手による操作性が格段に向上する。保持具を装着することにより、文庫や新書などの冊子類の片手による保持と操作性の安定に寄与することで使用者の満足度が向上する。簡易な構成でこのような利便性を提供できるので、産業上利用価値が高い。
【図面の簡単な説明】
【００２３】
【図１】冊子類の斜視図
【図２】冊子類の使用状態を示す斜視図
【図３】冊子類の使用状態を示す斜視図
【図４】保持具の使用状態を示す斜視図
【図５】保持具の使用状態を示す斜視図
【図６】保持具の使用状態を示す正面図
【図７】保持具の使用状態を示す正面図
【図８】保持具の使用状態を示す正面図
【図９】保持具の使用状態を示す正面図
【符号の説明】
【００２４】
Ａ            冊子類
Ｂ            冊子類の背表紙部
Ｂ１          背表紙部の上端
Ｂ２          背表紙部の下端
Ｃ            指掛け部
Ｃ１          突出部
Ｃ２          固定部
Ｃ３          かぎ状突起
Ｃ４          勾配
Ｃ５          溝
Ｄ            しおり
Ｅ            ヒンジ
Ｆ            係止部
Ｇ１          フック部
Ｇ２          フック部
Ｇ３          長さ調節部
１            親指
２            人差し指
３            中指
４            薬指
５            小指
【図１】
2006305806.tif 000003
【図２】
2006305806.tif 000004
【図３】
2006305806.tif 000005
【図４】
2006305806.tif 000006
【図５】
2006305806.tif 000007
【図６】
2006305806.tif 000008
【図７】
2006305806.tif 000009
【図８】
2006305806.tif 000010
【図９】
2006305806.tif 000011